(57)【要約】【課題】  複数のアンテナ間の距離を十分に確保することができるＭＩＭＯ無線装置を提供する。【解決手段】  コンピュータ２の標準インターフェイス２Ａ，２Ｂには、外部との間で無線通信を行う通信モジュール３，８を接続する。また、コンピュータ２にはソフトウエアプログラムからなる送信用ＭＩＭＯ信号処理部１６および受信用ＭＩＭＯ信号処理部１７を実装する。これにより、通信モジュール３，８は互いに異なる標準インターフェイス２Ａ，２Ｂに接続することができるから、通信モジュール３，８のアンテナ７，１２，１５間の距離を離して配置することができる。【選択図】        図２
2009033327.tif 000002
【特許請求の範囲】
【請求項１】
コンピュータに設けられ、複数のアンテナから互いに異なるデータ系列を同じ周波数の送信信号として空間多重して送信し、複数のアンテナから同時に受信した受信信号を用いて該受信信号に含まれる複数のデータ系列を分離して検出するＭＩＭＯ無線装置において、
少なくとも１つのアンテナと、前記データ系列を送信信号に変調して該アンテナから送信する送信回路と、前記アンテナから受信した受信信号に基づいて複数のデータ系列が多重されたシンボルデータを復調する受信回路とからなる通信モジュールを複数備え、
該複数の通信モジュールは前記コンピュータの標準インターフェイスに接続し、
前記コンピュータには、複数の通信モジュール毎に互いに異なるデータ系列を出力する送信用ＭＩＭＯ信号処理部と、
複数の通信モジュールが入力するシンボルデータから複数のデータ系列を分離して検出する受信用ＭＩＭＯ信号処理部とを設ける構成としたことを特徴とするＭＩＭＯ無線装置。
【請求項２】
前記送信用ＭＩＭＯ信号処理部および受信用ＭＩＭＯ信号処理部は、前記コンピュータにインストールされたプログラムによって構成してなる請求項１に記載のＭＩＭＯ無線装置。
【請求項３】
前記通信モジュールは前記アンテナを複数備え、
該複数のアンテナと前記送信回路、受信回路との間には、複数のアンテナのうちいずれか一のアンテナを選択的に前記送信回路、受信回路に接続して選択ダイバーシティ動作を行う切換器を設ける構成としてなる請求項１または２に記載のＭＩＭＯ無線装置。
【請求項４】
前記複数の通信モジュールは、前記コンピュータに設けられた複数の標準インターフェイスにそれぞれ接続する構成としてなる請求項１，２または３に記載のＭＩＭＯ無線装置。
【請求項５】
前記コンピュータの標準インターフェイスには、複数のポートを有するマルチポートハブを接続し、
前記複数の通信モジュールは、該マルチポートハブの複数のポートにそれぞれ接続する構成としてなる請求項１，２または３に記載のＭＩＭＯ無線装置。
【発明の詳細な説明】
【技術分野】
【０００１】
本発明は、複数のアンテナを用いて信号の送信および受信を行うＭＩＭＯ（Multiple Input Multiple Output）無線装置に関する。
【背景技術】
【０００２】
一般に、送信側、受信側の双方に複数のアンテナを設置し、無線送受信間の空間に複数の電波伝搬路を用意して、各伝搬路を空間的に多重して信号を伝送するＭＩＭＯ無線装置が知られている（例えば、特許文献１参照）。このような従来技術では、送信動作時には、例えば送信データを複数のデータ系列に分割する送信用のＭＩＭＯ信号処理を行い、複数のアンテナからそれぞれのデータ系列を同じ周波数の送信信号として空間多重して送信する。一方、受信動作時には、複数のアンテナから同時に受信信号を受信する。このとき、受信信号には複数のアンテナから送信された複数のデータ系列が含まれる。このため、受信用のＭＩＭＯ信号処理として、受信信号が到来した伝搬路を推定して受信信号から複数のデータ系列を分離して検出する。
【０００３】
【特許文献１】特開２００５−３５４２２２号公報
【発明の開示】
【発明が解決しようとする課題】
【０００４】
ところで、従来技術によるＭＩＭＯ無線装置として例えばパーソナルコンピュータの無線ＬＡＮ（Local Area Network）用の無線通信モジュールを構成したときには、無線通信モジュールには、送受信用のＭＩＭＯ信号処理を行う回路および高周波信号（無線信号）を送受信する回路が設けられると共に、該送受信用の回路に接続された複数のアンテナが取付けられていた。ここで、ＭＩＭＯ空間多重では、複数のアンテナ間の距離が離れた方がそれぞれの伝搬路の独立性を確保することができ、受信信号から複数のデータ系列を分離し易い。これに対し、従来技術による無線通信モジュールをコンピュータのＰＣＭＣＩＡ（Personal Computer Memory Card International Association）によるＰＣカード等の標準インターフェイスに接続する場合には、該インターフェイスに応じて無線通信モジュールの大きさが制限されてしまう。この結果、複数のアンテナ間の距離を十分に確保することができず、空間ダイバーシティ効果を十分に得ることができないという問題がある。
【０００５】
本発明は上述した従来技術の問題に鑑みなされたもので、本発明の目的は、複数のアンテナ間の距離を十分に確保することができるＭＩＭＯ無線装置を提供することにある。
【課題を解決するための手段】
【０００６】
上述した課題を解決するために、請求項１の発明は、コンピュータに設けられ、複数のアンテナから互いに異なるデータ系列を同じ周波数の送信信号として空間多重して送信し、複数のアンテナから同時に受信した受信信号を用いて該受信信号に含まれる複数のデータ系列を分離して検出するＭＩＭＯ無線装置において、少なくとも１つのアンテナと、前記データ系列を送信信号に変調して該アンテナから送信する送信回路と、前記アンテナから受信した受信信号に基づいて複数のデータ系列が多重されたシンボルデータを復調する受信回路とからなる通信モジュールを複数備え、該複数の通信モジュールは前記コンピュータの標準インターフェイスに接続し、前記コンピュータには、複数の通信モジュール毎に互いに異なるデータ系列を出力する送信用ＭＩＭＯ信号処理部と、複数の通信モジュールが入力するシンボルデータから複数のデータ系列を分離して検出する受信用ＭＩＭＯ信号処理部とを設ける構成としたことを特徴としている。
【０００７】
請求項２の発明は、前記送信用ＭＩＭＯ信号処理部および受信用ＭＩＭＯ信号処理部は、前記コンピュータにインストールされたプログラムによって構成している。
【０００８】
請求項３の発明は、前記通信モジュールは前記アンテナを複数備え、該複数のアンテナと前記送信回路、受信回路との間には、複数のアンテナのうちいずれか一のアンテナを選択的に前記送信回路、受信回路に接続して選択ダイバーシティ動作を行う切換器を設ける構成としている。
【０００９】
請求項４の発明は、前記複数の通信モジュールは、前記コンピュータに設けられた複数の標準インターフェイスにそれぞれ接続する構成としている。
【００１０】
請求項５の発明は、前記コンピュータの標準インターフェイスには、複数のポートを有するマルチポートハブを接続し、前記複数の通信モジュールは、該マルチポートハブの複数のポートにそれぞれ接続する構成としている。
【発明の効果】
【００１１】
請求項１の発明によれば、複数の通信モジュールをコンピュータの標準インターフェイスに接続し、コンピュータには、複数の通信モジュールに向けてデータ系列を出力する送信用ＭＩＭＯ信号処理部と、複数の通信モジュールが入力するシンボルデータから複数のデータ系列を分離して検出する受信用ＭＩＭＯ信号処理部とを設ける構成としたから、複数の通信モジュールにそれぞれ設けたアンテナを用いてＭＩＭＯによる空間多重の信号伝送を行うことができる。また、複数の通信モジュールは、例えばコンピュータに設けられた複数の標準インターフェイスにそれぞれ接続することができるから、複数の通信モジュールを互いに離れた位置に配置することができる。この結果、複数の通信モジュールに設けられたアンテナ間の距離を離すことができるから、アンテナ間の空間ダイバーシティを大きく確保することが可能となる。
【００１２】
また、コンピュータに設けられた各種の標準インターフェイスに応じて複数種類の通信モジュールを用意すれば、任意の標準インターフェイスに通信モジュールを接続することができ、アンテナの配置場所を任意に選択することができる。これにより、相手方との間の電波状況が良い位置にアンテナを配置することができると共に、コンピュータ周囲のレイアウト等に応じてアンテナを配置することができる。
【００１３】
さらに、例えばマルチポートハブを用いることによって、単一の標準インターフェイスに複数の通信モジュールを接続することができる。このため、通信モジュールの台数を任意に選択することができるから、必要とされる通信速度に応じてＭＩＭＯのアンテナ構成を適応的に選択することができる。
【００１４】
請求項２の発明によれば、送信用ＭＩＭＯ信号処理部および受信用ＭＩＭＯ信号処理部はコンピュータにインストールされたプログラムによって構成したから、ソフトウエアプログラムをインストールすることによって、コンピュータには容易に送信用ＭＩＭＯ信号処理部および受信用ＭＩＭＯ信号処理部を実装することができる。また、通信モジュールから送信用ＭＩＭＯ信号処理部および受信用ＭＩＭＯ信号処理部の機能を省くことができ、通信モジュールを任意の標準インターフェイスに接続することができる。
【００１５】
請求項３の発明によれば、通信モジュールは複数のアンテナと切換器とを備える構成としたから、通信モジュールの複数のアンテナのうち電波状況の良いアンテナを選択して使用することができ、通信品質を改善することができる。
【００１６】
請求項４の発明によれば、複数の通信モジュールはコンピュータに設けられた複数の標準インターフェイスにそれぞれ接続するから、複数の標準インターフェイスの位置に応じて複数の通信モジュールを互いに離れた位置に配置することができる。このため、複数の通信モジュールに設けられたアンテナ間の距離を離して、アンテナ間の空間ダイバーシティを大きく確保することができる。
【００１７】
請求項５の発明によれば、標準インターフェイスにはマルチポートハブを接続すると共に、該マルチポートハブの複数のポートに複数の通信モジュールをそれぞれ接続する構成としたから、複数のポートの位置に応じて複数の通信モジュールを互いに離れた位置に配置することができる。このため、複数の通信モジュールに設けられたアンテナ間の距離を離して、アンテナ間の空間ダイバーシティを大きく確保することができる。
【００１８】
また、コンピュータの標準インターフェイスの数に拘らず、マルチポートハブのポート数だけ接続可能な通信モジュールの台数を増加させることができる。このため、通信モジュールの台数を任意に選択することができるから、必要とされる通信速度に応じてＭＩＭＯのアンテナ構成を適応的に選択することができる。
【発明を実施するための最良の形態】
【００１９】
以下、本発明の実施の形態によるＭＩＭＯ無線装置として、パーソナルコンピュータの無線ＬＡＮ装置に適用した場合を例に挙げて、添付図面を参照して詳細に説明する。
【００２０】
まず、図１および図２は、第１の実施の形態による無線ＬＡＮ装置１を示している。図において、無線ＬＡＮ装置１は、コンピュータ２に接続された２台の通信モジュール３，８と、コンピュータ２内に実装された送信用ＭＩＭＯ信号処理部１６および受信用ＭＩＭＯ信号処理部１７とによって構成されている。
【００２１】
ここで、コンピュータ２には、例えばＰＣＭＣＩＡのＰＣカード、ＵＳＢ（Universal Serial Bus）、Ｅｘｐｒｅｓｓ  Ｃａｒｄ等の複数の標準インターフェイス２Ａ，２Ｂが設けられている。そして、通信モジュール３，８は、互いに異なる標準インターフェイス２Ａ，２Ｂに接続されている。
【００２２】
通信モジュール３は、送信回路４および受信回路５と、これらに接続された高周波回路６と、該高周波回路６に接続されたアンテナ７とによって構成されている。ここで、送信回路４は、コンピュータ２内の信号を通信モジュール３内に入力するための入力用のインターフェイス部４Ａと、該インターフェイス部４Ａに接続されコンピュータ２から入力されるデータ系列を各種の変調方式を用いて変調し、変調後のディジタル信号からなる送信信号ＴＸ1を出力する変調部４Ｂと、該変調部４Ｂによる送信信号ＴＸ1をディジタル信号からアナログ信号に変換するＤ／Ａ変換部４Ｃとによって構成されている。例えば、変調方式として直交周波数分割多重（ＯＦＤＭ）方式を用いる場合には、変調部４Ｂは、高速逆フーリエ変換（ＩＦＦＴ：Inverse Fast Fourier Transform）を用いて変調する。
【００２３】
一方、受信回路５は、高周波回路６から出力される受信信号ＲＸ1をアナログ信号からディジタル信号に変換するＡ／Ｄ変換部５Ａと、該Ａ／Ｄ変換部５Ａに接続されディジタル信号の受信信号ＲＸ1をコンピュータ２に出力するためのシンボルデータに復調する復調部５Ｂと、復調部５Ｂによるシンボルデータをコンピュータ２に出力するための出力用のインターフェイス部５Ｃとによって構成されている。例えば、直交周波数分割多重方式の受信信号ＲＸ1を復調する場合には、復調部５Ｂは、高速フーリエ変換（ＦＦＴ：Fast Fourier Transform）を用いて復調する。
【００２４】
高周波回路６は、送信動作時には、送信回路４から出力された送信信号ＴＸ1に対して直交変調処理を施し、高周波信号ＲＦt1にアップコンバートする。その後、高周波回路６は、この高周波信号ＲＦt1を電力増幅し、帯域制限を行う。これにより、高周波回路６は、高周波信号ＲＦt1をアンテナ７から相手方としてのアクセスポイント（図示せず）に向けて放射する。
【００２５】
また、高周波回路６は、受信動作時には、アクセスポイントから放射された高周波信号ＲＦr1をアンテナ７によって受信し、高周波信号ＲＦr1に対してフィルタ処理を施して所定の帯域に制限し、低雑音増幅を行う。その後、高周波回路６は、高周波信号ＲＦr1をダウンコンバートし、直交復調処理を施すことによって、アナログ信号からなるベースバンド信号（受信信号ＲＸ1）を出力する。
【００２６】
通信モジュール８も、通信モジュール３とほぼ同様に、送信回路９および受信回路１０と、これらに接続された高周波回路１１と、該高周波回路１１に接続されたアンテナ１２とを備えている。このため、送信回路９は、入力用のインターフェイス部９Ａ、変調部９ＢおよびＤ／Ａ変換部９Ｃによって構成されている。また、受信回路１０は、Ａ／Ｄ変換部１０Ａ、復調部１０Ｂおよび出力用のインターフェイス部１０Ｃによって構成されている。
【００２７】
但し、通信モジュール８は、通信モジュール３と異なり、受信回路１３、高周波回路１４およびアンテナ１５が追加されている。このとき、受信回路１３は、受信回路１０とほぼ同様に、Ａ／Ｄ変換部１３Ａ、復調部１３Ｂおよび出力用のインターフェイス部１３Ｃによって構成されている。
【００２８】
これにより、通信モジュール８は、送信動作時には、送信回路９によって変調した送信信号ＴＸ2を高周波信号ＲＦt2にアップコンバートして放射する。一方、通信モジュール８は、受信動作時には、アンテナ１２によって受信した高周波信号ＲＦr2を受信信号ＲＸ2にダウンコンバートしてコンピュータ２に向けて出力するのに加え、アンテナ１５によって受信した高周波信号ＲＦr3を受信信号ＲＸ3にダウンコンバートしてコンピュータ２に向けて出力する。
【００２９】
送信用ＭＩＭＯ信号処理部１６および受信用ＭＩＭＯ信号処理部１７は、コンピュータ２内にソフトウエア上のプログラムとして実装されている。そして、送信用ＭＩＭＯ信号処理部１６は、例えばシリアル送信データを複数のデータ系列からなるパラレル送信データに変換すると共に、複数の通信モジュール３，８毎に互いに異なるデータ系列を出力する。
【００３０】
また、送信用ＭＩＭＯ信号処理部１６は、ＭＩＭＯ復調を行うために、受信側が既知のパイロットシンボルをデータ系列に挿入し、リファレンスとする信号系列を生成する。
【００３１】
なお、送信用ＭＩＭＯ信号処理部１６は、時間と空間の二次元でダイバーシティする符号化技術を用いてデータ系列を符号化する。このとき、送信用ＭＩＭＯ信号処理部１６は、例えば並列伝送技術に基づいてデータ系列を符号化してもよく、時空間ブロック符号化（ＳＴＢＣ）、空間周波数ブロック符号化（ＳＦＢＣ）、時空間トレリス符号化（ＳＴＴＣ）、時空間ターボトレリス符号化（ＳＴ  Ｔｕｒｂｏ  ＴＣ）等の時空間符号化伝送技術に基づいてデータ系列を符号化してもよい。
【００３２】
一方、受信用ＭＩＭＯ信号処理部１７は、例えば複数の通信モジュール３，８から入力されるシンボルデータから複数のデータ系列を分離してパラレル受信データを検出し、該パラレル受信データをシリアル受信データに変換する。
【００３３】
また、受信用ＭＩＭＯ信号処理部１７は、データ系列に挿入されたパイロットシンボルを用いて伝送路チャネル推定を行う。具体的には、パイロットシンボルの受信位相、振幅をリファレンス位相・振幅として推定する。この伝送路チャネル推定には、ＥＭアルゴリズム、ＳＡＧＥアルゴリズム等が用いられる。
【００３４】
また、受信用ＭＩＭＯ信号処理部１７は、並列伝送された信号を受信する空間多重信号検出・複合技術としては、例えばゼロフォーシング（ＺＦ）、ＭＭＳＥ（Minimum mean square error）およびＭＬＤ（Maximum Likelihood Decoding）等が用いられる。一方、受信用ＭＩＭＯ信号処理部１７は、時空間符号化に対応した検出・複合技術としては、例えば時空間ブロック複合、空間周波数ブロック複合、時空間トレリス複合、時空間ターボトレリス複合等が用いられる。
【００３５】
本実施の形態による無線ＬＡＮ装置１は上述のような構成を有するものであり、次にその作動について説明する。
【００３６】
まず、送信動作時には、コンピュータ２内の送信用ＭＩＭＯ信号処理部１６は、送信データを２つのデータ系列に分割し、通信モジュール３，８毎に互いに異なるデータ系列を出力する。これにより、通信モジュール３，８は、送信回路４，９を用いてデータ系列を送信信号ＴＸ1，ＴＸ2に変調すると共に、高周波回路６，１１を用いて送信信号ＴＸ1，ＴＸ2を高周波信号ＲＦt1，ＲＦt2にアップコンバートしてアンテナ７，１２から送信する。
【００３７】
一方、受信動作時には、アンテナ７，１２，１５から受信した高周波信号ＲＦr1，ＲＦr2，ＲＦr3は、高周波回路６，１１，１４を用いて受信信号ＲＸ1，ＲＸ2，ＲＸ3にダウンコンバートされ、受信回路５，１０，１３を用いてシンボルデータに復調される。そして、受信回路５，１０，１３はコンピュータ２内の受信用ＭＩＭＯ信号処理部１７に向けてシンボルデータを出力するから、受信用ＭＩＭＯ信号処理部１７は、これらのシンボルデータに多重した状態で含まれるデータ系列を分離して検出し、これらのデータ系列から受信データを複号する。
【００３８】
然るに、本実施の形態では、複数の通信モジュール３，８をコンピュータ２の標準インターフェイス２Ａ，２Ｂに接続し、コンピュータ２には送信用ＭＩＭＯ信号処理部１６および受信用ＭＩＭＯ信号処理部１７とを設ける構成としたから、複数の通信モジュール３，８にそれぞれ設けたアンテナ７，１２，１５を用いてＭＩＭＯによる空間多重の信号伝送を行うことができる。また、複数の通信モジュール３，８は、例えばコンピュータ２に設けられた複数の標準インターフェイス２Ａ，２Ｂにそれぞれ接続することができるから、複数の通信モジュール３，８を互いに離れた位置に配置することができる。この結果、複数の通信モジュール３，８に設けられたアンテナ７，１２，１５間の距離を離すことができるから、アンテナ７，１２，１５間の空間ダイバーシティを大きく確保することが可能となる。これにより、アンテナ７，１２，１５毎の伝搬路の独立性を容易に確保することができ、例えば伝送路チャネル推定を行うための逆行列を確実に演算することができる。
【００３９】
また、コンピュータ２に設けられた各種の標準インターフェイス２Ａ，２Ｂに応じて複数種類の通信モジュール３，８を用意すれば、任意の標準インターフェイス２Ａ，２Ｂに通信モジュール３，８を接続することができ、アンテナ７，１２，１５の配置場所を任意に選択することができる。これにより、アクセスポイントとの間の電波状況が良い位置にアンテナ７，１２，１５を配置することができると共に、コンピュータ２周囲のレイアウト等に応じてアンテナ７，１２，１５を配置することができる。
【００４０】
さらに、標準インターフェイス２Ａ，２Ｂの数に応じて、コンピュータ２に接続する通信モジュール３，８の台数を増加させることができる。このため、通信モジュール３，８の台数を任意に選択することができるから、必要とされる通信速度に応じてＭＩＭＯのアンテナ構成を適応的に選択することができる。
【００４１】
特に、送信用ＭＩＭＯ信号処理部１６および受信用ＭＩＭＯ信号処理部１７はコンピュータ２にインストールされたプログラムによって構成したから、ソフトウエアプログラムをインストールすることによって、コンピュータ２には容易に送信用ＭＩＭＯ信号処理部１６および受信用ＭＩＭＯ信号処理部１７を実装することができる。また、通信モジュール３，８から送信用ＭＩＭＯ信号処理部１６および受信用ＭＩＭＯ信号処理部１７の機能を省くことができ、通信モジュール３，８を任意の標準インターフェイス２Ａ，２Ｂに接続することができる。
【００４２】
また、複数の通信モジュール３，８はコンピュータ２に設けられた複数の標準インターフェイス２Ａ，２Ｂにそれぞれ接続するから、複数の標準インターフェイス２Ａ，２Ｂの位置に応じて複数の通信モジュール３，８を互いに離れた位置に配置することができる。このため、複数の通信モジュール３，８に設けられたアンテナ７，１２，１５間の距離を離して、アンテナ７，１２，１５間の空間ダイバーシティを大きく確保することができる。
【００４３】
次に、図３は本発明の第２の実施の形態による無線ＬＡＮ装置を示している。そして、本実施の形態の特徴は、通信モジュールはアンテナを複数備えると共に、該複数のアンテナと前記送信回路、受信回路との間には選択ダイバーシティ動作を行う切換器を設ける構成としたことにある。なお、本実施の形態では、前記第１の実施の形態と同一の構成要素に同一の符号を付し、その説明を省略するものとする。
【００４４】
無線ＬＡＮ装置２１は、コンピュータ２に接続された２台の通信モジュール３，２２と、コンピュータ２内に実装された送信用ＭＩＭＯ信号処理部１６および受信用ＭＩＭＯ信号処理部１７とによって構成されている。そして、通信モジュール３，２２は、互いに異なる標準インターフェイス２Ａ，２Ｂに接続されている。
【００４５】
通信モジュール２２は、第１の実施の形態による通信モジュール３とほぼ同様に、送信回路２３および受信回路２４と、これらに接続された高周波回路２５とを備えている。このとき、送信回路２３は、入力用のインターフェイス部２３Ａ、変調部２３ＢおよびＤ／Ａ変換部２３Ｃによって構成されている。一方、受信回路２４は、Ａ／Ｄ変換部２４Ａ、復調部２４Ｂおよび出力用のインターフェイス部２４Ｃによって構成されている。
【００４６】
但し、通信モジュール２２は、第１の実施の形態による通信モジュール３と異なり、２つのアンテナ２６，２７を備えている。また、アンテナ２６，２７と高周波回路２５との間には、アンテナ２６，２７のうちいずれか一方を選択的に送信回路２３、受信回路２４に接続して選択ダイバーシティ動作を行う切換器２８が設けられている。
【００４７】
これにより、通信モジュール２２は、送信動作時には、送信回路２３によって変調した送信信号ＴＸ2を高周波信号ＲＦt2にアップコンバートし、アンテナ２６，２７のうち切換器２８によって選択された一方側から放射する。一方、通信モジュール２２は、受信動作時には、アンテナ２６，２７のうち切換器２８によって選択された一方側によって高周波信号ＲＦr2を受信し、高周波回路２５を用いて該高周波信号ＲＦr2を受信信号ＲＸ2にダウンコンバートする。その後、通信モジュール２２は、受信回路２４を用いて受信信号ＲＸ2からシンボルデータを復調してコンピュータ２に向けて出力する。
【００４８】
かくして、本実施の形態でも第１の実施の形態と同様の作用効果を得ることができる。特に、本実施の形態では、通信モジュール２２は複数のアンテナ２６，２７と切換器２８とを備える構成としたから、通信モジュール２２の複数のアンテナ２６，２７のうち電波状況の良いアンテナを選択して使用することができ、通信品質を改善することができる。
【００４９】
次に、図４は本発明の第３の実施の形態による無線ＬＡＮ装置を示している。そして、本実施の形態の特徴は、コンピュータの標準インターフェイスにマルチポートハブを接続し、複数の通信モジュールは該マルチポートハブの複数のポートにそれぞれ接続する構成としたことにある。なお、本実施の形態では、前記第１の実施の形態と同一の構成要素に同一の符号を付し、その説明を省略するものとする。
【００５０】
無線ＬＡＮ装置３１は、コンピュータ２に接続された２台の通信モジュール３と、コンピュータ２内に実装された送信用ＭＩＭＯ信号処理部１６および受信用ＭＩＭＯ信号処理部１７とによって構成されている。
【００５１】
また、コンピュータ２の標準インターフェイス２Ａには、複数のポート３２Ａ，３２Ｂを有するマルチポートハブ３２が接続されている。そして、２台の通信モジュール３は、互いに異なるポート３２Ａ，３２Ｂに接続されている。これにより、２台の通信モジュール３は、マルチポートハブ３２を介してコンピュータ２の標準インターフェイス２Ａに接続されている。
【００５２】
かくして、本実施の形態でも第１の実施の形態と同様の作用効果を得ることができる。特に、本実施の形態では、標準インターフェイス２Ａにはマルチポートハブ３２を接続すると共に、該マルチポートハブ３２の複数のポート３２Ａ，３２Ｂに複数の通信モジュール３をそれぞれ接続する構成としたから、複数のポート３２Ａ，３２Ｂの位置に応じて複数の通信モジュール３を互いに離れた位置に配置することができる。このため、複数の通信モジュール３に設けられたアンテナ７間の距離を離して、アンテナ７間の空間ダイバーシティを大きく確保することができる。
【００５３】
また、コンピュータ２の標準インターフェイス２Ａの数に拘らず、マルチポートハブ３２のポート数だけ接続可能な通信モジュール３の台数を増加させることができる。このため、通信モジュール３の台数を任意に選択することができるから、必要とされる通信速度に応じてＭＩＭＯのアンテナ構成を適応的に選択することができる。
【００５４】
なお、前記第１，第２の実施の形態では、２台の互いに異なる通信モジュール３，８，２２を用いる構成としたが、複数台の同じ通信モジュールを用いる構成としてもよい。また、第３の実施の形態では、２台の同じ通信モジュール３を用いる構成としたが、互いに異なる通信モジュールを用いる構成としてもよい。
【００５５】
また、前記第１の実施の形態による通信モジュール８を第２，第３の実施の形態による無線ＬＡＮ装置２１，３１に適用してもよく、第２の実施の形態による通信モジュール２２を第１，第３の実施の形態による無線ＬＡＮ装置１，３１に適用してもよい。
【００５６】
また、前記各実施の形態では、通信モジュール３，８，２２は直交周波数分割多重（ＯＦＤＭ）方式の信号を変調、復調する構成としたが、符号分割多元アクセス（ＣＤＭＡ）方式の信号を変調、復調する構成としてもよい。
【００５７】
さらに、前記各実施の形態では、ＭＩＭＯ無線装置として無線ＬＡＮ装置１，２１，３１に適用した場合を例に挙げて説明したが、相手方との間で通信を行う他の無線装置に適用してもよい。
【図面の簡単な説明】
【００５８】
【図１】本発明の第１の実施の形態による無線ＬＡＮ装置を示す斜視図である。
【図２】第１の実施の形態による無線ＬＡＮ装置を示すブロック図である。
【図３】第２の実施の形態による無線ＬＡＮ装置を示すブロック図である。
【図４】第３の実施の形態による無線ＬＡＮ装置を示すブロック図である。
【符号の説明】
【００５９】
１，２１，３１  無線ＬＡＮ装置（ＭＩＭＯ無線装置）
２  コンピュータ
２Ａ，２Ｂ  標準インターフェイス
３，８，２２  通信モジュール
４，９，２３  送信回路
５，１０，１３，２４  受信回路
６，１１，１４，２５  高周波回路
７，１２，１５，２６，２７  アンテナ
１６  送信用ＭＩＭＯ信号処理部
１７  受信用ＭＩＭＯ信号処理部
２８  切換器
３２  マルチポートハブ
３２Ａ，３２Ｂ  ポート
【図１】
2009033327.tif 000003
【図２】
2009033327.tif 000004
【図３】
2009033327.tif 000005
【図４】
2009033327.tif 000006